(57)【要約】【課題】通信機能の通信可能状態の維持を必要とせず、外部からのコンテンツサービスを利用する。【解決手段】基本的な画像処理設定画面５２Ａは、ユーザーが頻繁に利用する（設定変更が多い）要素項目のみを表示し、利用が少ない（設定がデフォルトのままでよい）要素項目の表示を省略したものである。これはユーザーの要望に頼るところが大きく、デフォルトの設定画面とすることはできないため、通信網１２を介して、必要に応じて外部のＰＣ１４等から取り込むようにしている。特別ＵＩプログラムデータ受付部６８は、特別ＵＩプログラム保存部７０に接続されている。特別ＵＩプログラム保存部７０では、特別ＵＩプログラムデータ受付部６８で受け付けた特別ＵＩプログラムを特別ＵＩプログラムメモリ７２に保存する。【選択図】図３
2009124487.tif 000002
【特許請求の範囲】
【請求項１】
画像処理向けサービスプログラムを作成するサービスプログラム作成手段と、
通信手段を介して前記画像処理向けサービスプログラムを受け付けて、この画像処理向けサービスプログラムを保存し、保存した画像処理向けサービスプログラムを必要に応じて読み出し、かつ利用して画像処理を実行する画像処理手段と、
を有する画像処理システム。
【請求項２】
画像を処理するための画像処理部と、
当該画像処理部による画像処理に必要な要素項目の入力を促すユーザーインターフェイス画面の表示制御を含むユーザーインターフェイスプログラムを実行するユーザーインターフェイスプログラム実行手段と、
前記ユーザーインターフェイス画面とは異なる特別なユーザーインターフェイス画面を含む特別ユーザーインターフェイスプログラムを、通信手段を介して受け付ける特別ユーザーインターフェイスプログラム受付手段と、
前記特別ユーザーインターフェイスプログラム受付手段で受け付けた特別ユーザーインターフェイスプログラムを保存する保存手段と、
予め設定されている基本ユーザーインターフェイスプログラムから前記保存手段に保存した特別ユーザーインターフェイスプログラムに切り替える切替制御手段と、
を有する画像処理装置。
【請求項３】
前記特別ユーザーインターフェイスプログラムを読み出すための画像が、前記基本ユーザーインターフェイスプログラムの実行におけるユーザーインターフェイス画面に付加されることを特徴とする請求項２記載の画像処理装置。
【請求項４】
受け付けた指示情報を解析して一連の画像処理を行うジョブフローサービスの範疇である前記特別ユーザーインターフェイスプログラムの実行によって処理される画像処理に関し、疑似的に前記基本ユーザーインターフェイスプログラムの実行によって処理される画像処理としての処理名称および検索キーワードを備えることを特徴とする請求項２又は請求項３記載の画像処理装置。
【請求項５】
画像処理部による画像処理に必要な要素項目の入力を促すユーザーインターフェイス画面の表示制御を含む基本ユーザーインターフェイスプログラムを実行することを基本として、
前記ユーザーインターフェイス画面とは異なる特別なユーザーインターフェイス画面を含む特別ユーザーインターフェイスプログラムを、通信手段を介して受け付け、
受け付けた特別ユーザーインターフェイスプログラムを保存した後、
前記基本ユーザーインターフェイスプログラムから前記保存した特別ユーザーインターフェイスプログラムに切り替えることを、マイクロコンピュータに実行させることを特徴とする画像処理実行プログラム。
【発明の詳細な説明】
【技術分野】
【０００１】
本発明は、画像処理システム、画像処理装置、画像処理実行プログラムに関するものである。
【背景技術】
【０００２】
従来、機器操作画面のＵＩ（ユーザーインターフェイス）をｈｔｍｌ形式で記述し、操作画面からｈｔｍｌ形式を変更することにより、容易に操作画面をカスタマイズできる方法が提案されている（特許文献１参照）。
【０００３】
また、特許文献２では、画像形成装置自身が持つ機能を判別して、新たな機能が追加されたことを検出すると、所定の方法（サーバー等）で、当該機能を実行するためのコンテンツサービスを取得する。コンテンツサービスは、表示コンテンツ（ＸＭＬ，ＪＰＥＧ等）や命令スクリプト（Ｊａｖａ（登録商標）Ｓｃｒｉｐｔ）から構成される。コンテンツサービスは、通信可能状態を維持した上で、画像形成装置に搭載されたブラウザ機能を持つＵＩに表示される。
【特許文献１】特開２００２−２３６６３８公報
【特許文献２】特開２００７−２４９６７５公報
【発明の開示】
【発明が解決しようとする課題】
【０００４】
本発明は上記事実を考慮し、通信機能の通信可能状態の維持を必要とせず、外部からのコンテンツサービスを利用することができる画像処理システム、画像処理装置、画像処理実行プログラムを得ることが目的である。
【課題を解決するための手段】
【０００５】
請求項１に記載の発明は、画像処理向けサービスプログラムを作成するサービスプログラム作成手段と、通信手段を介して前記画像処理向けサービスプログラムを受け付けて、この画像処理向けサービスプログラムを保存し、保存した画像処理向けサービスプログラムを必要に応じて読み出し、かつ利用して画像処理を実行する画像処理手段と、を有している。
【０００６】
請求項２に記載の発明は、画像を処理するための画像処理部と、当該画像処理部による画像処理に必要な要素項目の入力を促すユーザーインターフェイス画面の表示制御を含むユーザーインターフェイスプログラムを実行するユーザーインターフェイスプログラム実行手段と、前記ユーザーインターフェイス画面とは異なる特別なユーザーインターフェイス画面を含む特別ユーザーインターフェイスプログラムを、通信手段を介して受け付ける特別ユーザーインターフェイスプログラム受付手段と、前記特別ユーザーインターフェイスプログラム受付手段で受け付けた特別ユーザーインターフェイスプログラムを保存する保存手段と、予め設定されている基本ユーザーインターフェイスプログラムから前記保存手段に保存した特別ユーザーインターフェイスプログラムに切り替える切替制御手段と、を有している。
【０００７】
請求項３に記載の発明は、前記請求項２に記載の発明において、前記特別ユーザーインターフェイスプログラムを読み出すための画像が、前記基本ユーザーインターフェイスプログラムの実行におけるユーザーインターフェイス画面に付加されることを特徴としている。
【０００８】
請求項４に記載の発明は、前記請求項２又は請求項３に記載の発明において、受け付けた指示情報を解析して一連の画像処理を行うジョブフローサービスの範疇である前記特別ユーザーインターフェイスプログラムの実行によって処理される画像処理に関し、疑似的に前記基本ユーザーインターフェイスプログラムの実行によって処理される画像処理としての処理名称および検索キーワードを備えることを特徴としている。
【０００９】
請求項５に記載の発明は、画像処理部による画像処理に必要な要素項目の入力を促すユーザーインターフェイス画面の表示制御を含む基本ユーザーインターフェイスプログラムを実行することを基本として、前記ユーザーインターフェイス画面とは異なる特別なユーザーインターフェイス画面を含む特別ユーザーインターフェイスプログラムを、通信手段を介して受け付け、受け付けた特別ユーザーインターフェイスプログラムを保存した後、
前記基本ユーザーインターフェイスプログラムから前記保存した特別ユーザーインターフェイスプログラムに切り替えることを、マイクロコンピュータに実行させることを特徴としている。
【発明の効果】
【００１０】
請求項１に記載の発明によれば、通信機能の通信可能状態の維持を必要とせず、外部からのコンテンツサービスを利用することができる。
【００１１】
請求項２記載の発明によれば、通信機能の通信可能状態の維持を必要とせず、外部からのコンテンツサービスを利用することができる。
【００１２】
請求項３に記載の発明によれば、本構成を有しない場合に比較して、容易に特別ユーザーインターフェイスプログラムを読み出すことができる。
【００１３】
請求項４に記載の発明によれば、本構成を有しない場合に比較して、画像処理としての検索機能を有効利用することができる。
【００１４】
請求項５に記載の発明によれば、通信機能の通信可能状態の維持を必要とせず、外部からのコンテンツサービスを利用することができる。
【発明を実施するための最良の形態】
【００１５】
図１には、本実施の形態に係る画像処理システム１０の概略図が示されている。
【００１６】
画像処理システム１０の領域には、通信網１２が設けられている。
【００１７】
通信網１２には、ＰＣ（パーソナルコンピュータ）１４と、画像処理装置１６が接続されている。
【００１８】
図２は、本実施の形態に係る画像処理装置１６が示されている。
【００１９】
画像処理装置１６は、画像読取デバイス２０と画像形成デバイス２２を備えている。画像読取デバイス２０と画像形成デバイス２２とは画像処理制御部２４によって制御される。
【００２０】
画像読取デバイス２０では、原稿載置台（図示省略）に置かれた原稿画像をＣＣＤラインセンサ（図示省略）により読み取り、画像データを得る（スキャナ機能)。
【００２１】
画像形成デバイス２２では、画像データに基づいて、表面が均一に帯電された感光体ドラムに静電潜像を形成し、トナー現像剤を用いて現像し、記銀用紙に転写して、記鈬用紙上に画像を形成する（プリント機能)。
【００２２】
なお、前記スキャナ機能とプリン卜機能とを併用することで原稿に記録された画像を記録用紙へ複写することができる（コピ一機能）。
【００２３】
なお、上記画像処理装置１６において、スキャナ機能、プリント機能、コピー機能の他、ファクシミリ機能、ウェブサーバー機能、ウェブブラウザ機能を備えている。
【００２４】
前記画像処理装置２４は、メインコントローラ２６からの命令に従い制御されるようになっている。
【００２５】
メインコントロ一ラ２６は、マイクロコンピュータ２８を含んで構成されている。マイクロコンピュータ２８は、ＣＰＵ（セントラルプロセシングュニット）３０、ＲＡＭ（ランダムアクセスメモリ）３２、ＲＯＭ（リードオンリメモリ）３４、Ｉ／Ｏ（入出カポート）３６、及びこれらを互いに接続するデータバスやコントロールバス等のバス３８を備えている。
【００２６】
Ｉ／Ｏ３６には、前記画像処理制御部２４が接続されている。また、Ｉ／Ｏ３６には、ＵＩ（ユーザインターフェイス）４０が接続されている。
【００２７】
ＵＩ４０は、タッチパネル４２（図３参照）を備えており、このタッチパネル４２を介して、ユーザへ情報を報知（表示）し、かつコーザからの情報を受け付ける（入カ）。
【００２８】
タッチパネル４２は、ＵＩ入力情報解析部４４及びＵＩ表示制御部４６（図３参照）により制御されるようになっている（詳細後述）。
【００２９】
また、前記Ｉ／Ｏ３６には、通信Ｉ／Ｆ（インターフェイス）４８が接続されており、前記通信網１２に接続されている。
【００３０】
なお、Ｉ／Ｏ３６は、図示を省略したが、画像処理装置１６内の温度を計測する温度センサ、湿度を計測する湿度センサ、画像形成時の画像濃度を検出する濃度センサ等の各種センサ、並びに、冷却風を発生させるための冷却ファン等の各種入出力系電気部品が接続されている。
【００３１】
図３は、通信網１２を介して外部（例えば、図１では、ＰＣ１４）から画像処理に利用可能な画像処理向けコンテンツのサービスプログラムを受け付けて、このサービスプログラムを実行制御するための機能ブロック図である。なお、この機能ブロック図は、メイントローラ２６内の制御を機能的に分類したものであり、メインコントローラ２６のハード構成を限定するものではない。
【００３２】
前述したＵＩ４０は、入力部５０と表示部５２とを備えたタッチパネル４２と、前記入力部５０からの入力情報を解析するためのＵＩ入力情報解析部４４と、前記表示部５２への表示を制御するＵＩ表示制御部４６と、を有している。
【００３３】
ＵＩ４０は、ＵＩプログラム実行制御部５４で動作するＵＩプログラムに基づいて制御されるようになっている。通常、すなわちデフォルト状態では、このＵＩプログラム実行制御部５４には、ＵＩプログラム読込部５６を介して基本ＵＩプログラムデータメモリ５８から基本ＵＩプログラムが読み込まれて実行される。
【００３４】
基本ＵＩプログラムは、予め画像処理装置１６に設定される基本的な画像処理設定画面５２Ａ（図４参照）と、この基本画像処理設定画面５２Ａをタッチパネル４２の表示部５２に表示し、かつ入力部５０での指示を受け付けるためのプログラムである。
【００３５】
基本画像処理設定画面５２Ａでは、前記基本ＵＩプログラム実行時の、画像処理のためのパラメータ（要素項目）を設定する。
【００３６】
また、ＵＩ４０は、図２で示したメインコントローラ２６のＩ／Ｏ３６を介して、画像処理制御部２４と接続されており、画像処理指示、或いは画像処理に関わるジョブ履歴等を含む画像処理情報の送受信が実行される。
【００３７】
なお、画像処理指示には、画像処理に必要なパラメータ（カラー／白黒設定、用紙サイズ設定、印刷面設定、濃度設定等を含む要素項目）がＵＩ４０によって設定されており、当該パラメータ情報が併せて送出される。
【００３８】
ＵＩ入力情報解析部４４には、通信指示部６０が接続されている。
【００３９】
ＵＩ入力情報解析部４４での解析の結果、通信指示の場合には、その情報が通信指示部６０へ送出される。通信指示６０では、通信管理部６２に対して、通信網１２を介して外部との通信を開始、又は終了するように指示する。すなわち、通信管理部６２は、ブラウザとして機能しており、画像処理制御部２４にも接続され、本実施の形態の画像処理装置１６（メインコトローラ２６）と外部との通信全般を管理している。
【００４０】
なお、外部との通信全般とは、例えば、ジョブフローサービス用指示書の受信、画像データの外部への配信、定期又は不定期での自己診断情報のメーカ等への送信、画像処理制御に関するドライバ等のバージョンアップや、新バージョンに関する設定変更プログラム等の受信等が挙げられる。
【００４１】
通信管理部６２は、通信情報送受信部６４に接続されている。通信情報送受信部６４は、通信網１２との通信状態で情報を送出する共に、受信した情報を仕分ける役目を有する。
【００４２】
通信情報送受信部６４において通信網１２を介して画像データ（記述言語等を含む）を受信した場合には、当該画像データを画像データ受付部６６で受け付ける。画像データ受付部６６は、前記画像処理制御部２４に接続されており、受け付けた画像データは画像処理制御部２４へ送出され、画像処理が実行される。
【００４３】
ここで、通信情報送受信部６４には、特別ＵＩプログラムデータ受付部６８が接続されている。通信情報送受信部６８にジョブフローサービスの範疇となる特別ＵＩプログラムデータを受信した場合は、これを特別ＵＩプログラムデータ受付部６８で受け付けるようになっている。
【００４４】
特別ＵＩプログラムとは、例えば、ユーザーからの要望によって作成される特別画像処理設定画面５２Ｂ（図５参照）と、この特別な画像処理設定画面をタッチパネル４２の表示部５２に表示し、かつ入力部５０での指示を受け付けるためのプログラムである。
【００４５】
ところで、図４には、基本画像処理設定画面５２Ａが示されており、この基本画像処理設定画面５２Ａと、図５に示す特別画像処理設定画面５２Ｂは、一目瞭然に各要素項目が少なく、かつ基本的な画像処理設定画面５２Ａの各要素項目の表示に比べて大きな表示であり、指定操作が容易となっている（らくらくコピー操作）。
【００４６】
すなわち、基本的な画像処理設定画面５２Ａは、ユーザーが頻繁に利用する（設定変更が多い）要素項目のみを表示し、利用が少ない（設定がデフォルトのままでよい）要素項目の表示を省略したものである。これはユーザーの要望に頼るところが大きく、デフォルトの設定画面とすることはできないため、通信網１２を介して、必要に応じて外部のＰＣ１４等から取り込むようにしている。
【００４７】
特別ＵＩプログラムデータ受付部６８は、特別ＵＩプログラム保存部７０に接続されている。特別ＵＩプログラム保存部７０では、特別ＵＩプログラムデータ受付部６８で受け付けた特別ＵＩプログラムを特別ＵＩプログラムメモリ７２に保存する。なお、特別ＵＩプログラムメモリ７２は、前記基本ＵＩプログラムメモリ５８と同様にＵＩプログラム読込部５６に接続されている（詳細後述）。
【００４８】
また、特別ＵＩプログラム保存部７０は、表示用指定ボタン名設定部７４に接続されている。表示用指示ボタン名設定部７４では、前記特別ＵＩプログラムに含まれる指示ボタン名を検索し、当該指示ボタン名と、図６（Ａ）に示すメインメニュー画面５２Ｃに表示される、新規ボタン１〜３の内の何れかを指定して、指示ボタン名更新部７６へ送出する。
【００４９】
指示ボタン名更新部７６では、受け付けた指示ボタン名を、メインメニュー画面５２Ｃの新規ボタン１〜３に割り当てるように表示内容を更新する。例えば、新規ボタン１に割り当てると、「新規ボタン１」が『らくらくコピー』という名称に変更される。図６（Ｂ）は、この『らくらくコピー』が割り当てられた後のメインメニュー画面５２Ｄである。
【００５０】
ここで、ＵＩ入力情報解析部４４には、前述した通信指示部６０に加え、ＵＩプログラム切替指示部７８が接続されている。
【００５１】
ＵＩプログラム切替指示部７８は、ＵＩ入力情報解析部４４での解析の結果、ＵＩプログラム指示ボタンの操作があった場合に、ＵＩプログラム選択部８０に対して、指定されたＵＩプログラムを選択させる。
【００５２】
ＵＩプログラム選択部８０では、当該選択の結果を前記ＵＩプロブラム読込部５６に送出する。ＵＩプロブラム読込部５６には、基本ＵＩプログラムデータメモリ５８及び特別ＵＩプログラムメモリ７２が接続され、選択結果に基づいて何れかが読み込まれ、ＵＩプログラム実行制御部５４へ送出されるようになっている。
【００５３】
なお、本実施の形態においては、図６（Ｂ）に示す『らくらくコピー』ボタン）の操作があった場合には、特別ＵＩプログラムが選択される。
【００５４】
以下に本実施の形態の作用を図７及び図８のフローチャートに従い説明する。
【００５５】
図７は、外部通信制御ルーチンであり、ステップ１００では、ブラウザ起動指示があったか否かが判断され、否定判定されると、このルーチンは終了する。
【００５６】
また、ステップ１００で肯定判定されると、ステップ１０２へ移行して指示内容が特別ＵＩプログラム取得指示か否かが判断される。
【００５７】
このステップ１０２で否定判定されると、ステップ１０４へ移行して、その他の処理を実行して、このルーチンは終了する。
【００５８】
また、ステップ１０２で肯定判定、すなわち指示内容が特別ＵＩプログラム取得指示であると判断されると、ステップ１０６へ移行して、特別ＵＩプログラム受信処理を実行し、ステップ１０８へ移行する。
【００５９】
ステップ１０８では、上記ステップ１０６での受信が成功したか否かが判断され、否定判定されるとステップ１１０へ移行してエラー処理を行い、このルーチンは終了する。
【００６０】
また、ステップ１０８で肯定判定、すなわち受信が成功したと判断されると、ステップ１１２へ移行する。
【００６１】
ステップ１１２では、特別ＵＩプログラムから表示用指定ボタン名を設定する。例えば、本実施の形態では、『らくらくコピー』という名称が設定される。
【００６２】
次のステップ１１４では、前記受信した特別ＵＩプログラムを保存し、次いでステップ１１６へ移行して、ボタン名を更新する。このボタン名の更新により、図７（Ａ）のメインメニュー画面５２Ｃの「新規ボタン１」は、図６（Ｂ）のメインメニュー画面５２Ｄのように『らくらくコピー』となる。
【００６３】
次に、図８は、メインメニュー画面５２Ｄ（図６（Ｂ）参照）におけるボタン操作時の処理ルーチンであり、ステップ１２０では、ボタン指示がコピーか否かが判断され、否定判定、すなわちコピー以外の指示の場合は、ステップ１２２へ移行して、指示された他の処理を実行し、このルーチンは終了する。なお、他の処理について、本実施の形態と直接関係ないので、ここでは、省略する。
【００６４】
一方、ステップ１２０で肯定判定されると、指示内容がコピーと判断し、ステップ１２４へ移行する。ステップ１２４では、「コピー」ボタンが操作されたか、『らくらくコピー』ボタンが操作されたが判断される。
【００６５】
ステップ１２４で、図６に示す「コピー」ボタンが操作されたと判断された場合には、ステップ１２４からステップ１２６へ移行して基本ＵＩプログラムを読み込み、ステップ１２８へ移行して基本ＵＩプログラムを起動し、次いでステップ１３０で、図４に示す基本画像処理設定画面５２Ａを表示して、このルーチンは終了する。
【００６６】
また、ステップ１２４で『らくらくコピー』ボタンが操作されたと判断された場合には、ステップ１２４からステップ１３２へ移行して特別ＵＩプログラムを読み込み、ステップ１３４へ移行して特別ＵＩプログラムを起動し、次いでステップ１３６で、図５に示す特別画像処理設定画面５２Ｂを表示して、このルーチンは終了する。
【００６７】
らくらくコピーによる指示（特別画像処理設定画面５２Ｂによるコピー指示）は、画像処理装置１６の内部の処理ではなく、外部からの指示を受けて実行する、所謂ジョブフローサービスの範疇である。このため、ジョブ履歴としては、『らくらくコピー』の画面（特別画像処理設定画面５２Ｂ）によるコピー処理は、「ジョブフローサービス」の項目となり、通常のコピーと分別されることになる。そこで、本実施の形態では、『らくらくコピー』の画面（特別画像処理設定画面５２Ｂ）によるコピー処理は、疑似的に、基本コピーでの処理（「コピー」ボタンの操作による基本画像処理設定画面５２Ａでの処理）として取り扱うようにした。
【００６８】
さらに、画像処理実行時に表示される処理名称やジョブ履歴に記載されるジョブ名も「ジョブフローサービス」ではなく、『らくらくコピー』という名称にて取り扱われるようにした。
【図面の簡単な説明】
【００６９】
【図１】本実施の形態に係る画像処理システムの概略図である。
【図２】本実施の形態に係る画像処理装置のハード構成を示すブロック図である。
【図３】本実施の形態に係る画像処理装置におけるメインコントローラを主体とした画像処理を実行するためのＵＩ画面の変更制御に関する機能ブロック図である。
【図４】「コピー」ボタンが操作されたとき、ＵＩタッチパネルの表示部に表示される基本画像処理設定画面の正面図である。
【図５】『らくらくコピー』ボタンが操作されたとき、ＵＩタッチパネルの表示部に表示される特別画像処理設定画面の正面図である。
【図６】ＵＩタッチパネルの表示部に表示されるメインニュー画面であり、（Ａ）は新規ボタン１が名称未登録の場合、（Ｂ）は新規ボタン１に名称として『らくらくコピー』を登録した場合の正面図である。
【図７】本実施の形態に係る外部通信制御ルーチンを示すフローチャートである。
【図８】本実施の形態に係るメインメニュー画面におけるボタン操作時の処理ルーチンを示す制御フローチャートである。
【符号の説明】
【００７０】
１０    画像処理システム
１２    通信網
１４    ＰＣ（サービスプログラム作成手段）
１６    画像処理装置（画像処理手段、画像処理部）
２０    画像読取デバイス
２２    画像形成デバイス
２４    画像処理制御部
２６    メインコントローラ
２８    マイクロコンピュータ
３０    ＣＰＵ
３２    ＲＡＭ
３４    ＲＯＭ
３６    Ｉ／Ｏ
３８    バス
４０    ＵＩ（ユーザーインターフェイス）
４２    タッチパネル
４４    ＵＩ入力情報解析部
４６    ＵＩ表示制御部
４８    通信Ｉ／Ｆ
５０    入力部
５２    表示部
５２Ａ    基本画像処理設定画面
５２Ｂ    特別画像処理設定画面
５２Ｃ、５２Ｄ    メインメニュー画面
５４    ＵＩプログラム実行制御部（ユーザーインターフェイスプログラム実行手段）
５６    ＵＩプログラム読込部
５８    基本ＵＩプログラムデータメモリ
６０    通信指示部
６２    通信管理部
６４    通信情報送受信部
６６    画像データ受付部
６８    特別ＵＩプログラムデータ受付部（特別ユーザーインターフェイスプログラム受付手段）
７０    特別ＵＩプログラム保存部（保存手段）
７２    特別ＵＩプログラムメモリ（保存手段）
７４    表示用指定ボタン名設定部
７６    指示ボタン名更新部
７８    ＵＩプログラム切替指示部（切替制御手段）
８０    ＵＩプログラム選択部
【図１】
2009124487.tif 000003
【図２】
2009124487.tif 000004
【図３】
2009124487.tif 000005
【図４】
2009124487.tif 000006
【図５】
2009124487.tif 000007
【図６】
2009124487.tif 000008
【図７】
2009124487.tif 000009
【図８】
2009124487.tif 000010